(57)【特許請求の範囲】
【請求項１】
プラテンから送り出されるメディアを芯管周囲にロール状に巻き取るロールメディア巻き取り装置であって、
前記メディアを巻き取り中の芯管をその内側周囲面に亙って搭載する２本の回転ローラが、メディアが送り出されるプラテンの後方に回転自在に並べて支持されると共に、その２本の回転ローラの内側周囲面に亙って搭載された芯管周囲に巻き取り中のメディアが接する２本の回転ローラの内側周囲面がメディアの巻き取り方向に同一速度で回転するように、その２本の回転ローラのそれぞれを回転させる回転手段が備えられてなるロールメディア巻き取り装置において、
前記２本の回転ローラの周囲面の中央からその両端に向けて、紐状部材が、その芯管に巻き取り中のメディアが接する回転ローラの内側周囲面に位置する紐状部材部分を芯管周囲に巻き取り中のメディアの巻き取り方向に対して外側に傾斜させて、互いに逆方向に向けてそれぞれ螺旋状に巻き付けられて、その紐状部材から芯管周囲に巻き取り中のメディアに該メディアをその中央からその両端に向けて広げる摩擦力と該メディアを芯管周囲に巻き取る巻き取り力とを同時に付与できるように構成され、
前記２本の回転ローラのそれぞれが、該回転ローラの左右に並べて回転自在に支持された複数個の小型ローラに亙って、その２本の回転ローラの両端を回転自在に支持する支持機構に着脱可能に支持されて、その２本の回転ローラのそれぞれの支持機構に対しての取り付け方向を正逆に変更できるように構成されると共に、前記回転手段が、該回転手段により２本の回転ローラのそれぞれを正逆に回転させることができるように構成され、
前記２本の回転ローラ両端の回転軸のそれぞれは、前記回転ローラを回転させるプーリの軸と、前記回転ローラの軸受け部とのそれぞれに抜き取り可能に嵌挿するように構成されたことを特徴とするプロッタのロールメディア巻き取り装置。
【請求項２】
前記紐状部材がゴム紐からなり、前記芯管が紙管からなる請求項１記載のプロッタのロールメディア巻き取り装置。
【発明の詳細な説明】
【０００１】
【発明の属する技術分野】
本発明は、プラテンから送り出される捺染が施された布等のメディアを紙管等の芯管周囲にロール状に巻き取るプロッタのロールメディア巻き取り装置に関する。
【０００２】
【従来の技術】
近時の布表面に図形、模様等を施す捺染作業においては、手数の掛かる版型が用いられずに、プロッタが多く用いられる。
プロッタは、図６と図７に示したように、プラテン５０のＸ方向に布等のメディア６０を送り込んで、そのメディア６０上をスライダー１０をＹバー１２に沿ってメディア６０表面とほぼ平行にＹ方向に走行させる構造をしている。そして、そのＹ方向に走行するスライダー１０に搭載されたインクジェットヘッド２０に並ぶ複数のノズル２２のそれぞれからインクを所定のタイミングでメディア６０方向に噴射させて、そのインクをメディア６０表面の所定部位にドット状に着弾させる構造をしている。そして、そのメディア６０表面に複数のインクのドットの寄せ集めからなる図形、模様等の捺染を施すことができる構造をしている。
【０００３】
このプロッタを用いて図形、模様等の捺染が施された布等のメディア６０は、図８に示したような、ロールメディア巻き取り装置により、紙管等の芯管１００周囲にロール状に巻き取られる。
このロールメディア巻き取り装置では、メディア６０が送り出されるプラテン５０の後方に、２本の回転ローラ１１０が、Ｙ方向に平行に並べて、支持機構を介して、支持されている。２本の回転ローラ１１０には、その２本の回転ローラ１１０のそれぞれを、２本の回転ローラ１１０の内側周囲面に亙って搭載された芯管１００周囲に巻き取り中のメディア６０が接する２本の回転ローラ１１０の内側周囲面がメディア６０の巻き取り方向に同一速度で回転するように、その２本の回転ローラ１１０のそれぞれを回転させる電動モータ等からなる回転手段１２０が連結されている。
この巻き取り装置によれば、プラテン５０後方のＹ方向に並べて支持された２本の回転ローラ１１０の内側周囲面に亙って、メディア６０を巻き取り中の芯管１００を搭載できる。そして、回転手段１２０により、その２本の回転ローラ１１０のそれぞれを、その２本の回転ローラ１１０の内側周囲面に亙って搭載された芯管１００周囲に巻き取り中のメディア６０が接する２本の回転ローラ１１０の内側周囲面がメディア６０の巻き取り方向に同一速度で回転するように回転させることができる。そして、その芯管１００周囲に捺染が施されたメディア６０をロール状に巻き取ることができる。
【０００４】
【発明が解決しようとする課題】
しかしながら、上記の巻き取り装置を用いて、捺染が施された布等のメディア６０を紙管等の芯管１００周囲にロール状に巻き取った場合には、その芯管１００周囲に巻き取られる布等のメディア６０中途部に皺が寄ってしまった。そして、その皺の寄ったメディア６０部分に折り目等が付き、その捺染が施された布等のメディア６０の品質が大幅に低下してしまった。
【０００５】
このような課題を解決するために、従来は、ロールメディア巻き取り装置を用いて、芯管１００周囲に巻き取り中のメディア６０に皺が寄る度毎に、捺染作業を一時停止して、その芯管１００周囲に巻かれたメディア６０に発生した皺を手で引き伸ばして取り除いていた。
そのために、その芯管１００周囲に巻き取り中のメディア６０に発生する皺を取り除く作業に、多大な手数と時間を要した。
【０００６】
また、このような課題を解決するための手段として、上記のように、２本の回転ローラ１１０の内側周囲面に亙ってメディア６０を巻き取り中の芯管１００を搭載して、そのメディア６０を巻き取り中の芯管１００を２本の回転する回転ローラ１１０によりメディア６０の巻き取り方向に回転させる、いわゆる外周駆動方式の巻き取り装置に代えて、いわゆる内周駆動方式の巻き取り装置を用いて、芯管１００周囲にメディア６０を巻き取る方法が考えられる。
この内周駆動方式と呼ばれる巻き取り装置は、芯管１００内側にシャフトを挿通して、そのシャフトにより芯管１００をメディア６０の巻き取り方向に回転させ、その芯管１００周囲にメディア６０を巻き取る構造をしている。
この内周駆動方式の巻き取り装置によれば、芯管１００周囲に巻き取り中のメディア６０に皺が発生しにくくなり、その芯管１００周囲に巻き取り中のメディア６０に発生する皺を手で引き伸ばして直す回数を低減できる。
【０００７】
しかしながら、この内周駆動方式による巻き取り装置は、芯管１００内側に挿通した長いシャフトを芯管１００内側から引き抜いたり、シャフトを芯管１００内側に挿通したりするための、芯管１００とほぼ同一幅の広い作業スペースを必要とする。
そのために、この内周駆動方式による巻き取り装置は、広い設置スペースを必要とし、狭い場所には設置できない。
【０００８】
本発明は、このような課題を解消可能な外周駆動方式による巻き取り装置であって、芯管周囲に巻き取り中の布等のメディアに皺が発生しにくく、芯管周囲に巻き取り中のメディアに発生する皺を手で引き伸ばす作業を大幅に低減できるプロッタのロールメディア巻き取り装置（以下、巻き取り装置という）を提供することを目的としている。
【０００９】
【課題を解決するための手段】
上記の目的を達成するために、本発明の巻き取り装置は、プラテンから送り出されるメディアを芯管周囲にロール状に巻き取るロールメディア巻き取り装置であって、
メディアを巻き取り中の芯管をその内側周囲面に亙って搭載する２本の回転ローラが、メディアが送り出されるプラテンの後方に回転自在に並べて支持されると共に、その２本の回転ローラの内側周囲面に亙って搭載された芯管周囲に巻き取り中のメディアが接する２本の回転ローラの内側周囲面がメディアの巻き取り方向に同一速度で回転するように、その２本の回転ローラのそれぞれを回転させる回転手段が備えられてなるロールメディア巻き取り装置において、
２本の回転ローラの周囲面の中央からその両端に向けて、紐状部材が、その芯管に巻き取り中のメディアが接する回転ローラの内側周囲面に位置する紐状部材部分を芯管周囲に巻き取り中のメディアの巻き取り方向に対して外側に傾斜させて、互いに逆方向に向けてそれぞれ螺旋状に巻き付けられて、その２本の紐状部材から芯管周囲に巻き取り中のメディアに該メディアをその中央からその両端に向けて広げる摩擦力と該メディアを芯管周囲に巻き取る巻き取り力とを同時に付与できるように構成されたことを特徴としている。
【００１０】
この巻き取り装置においては、２本の回転ローラの内側周囲面に亙って、メディアを巻き取り中の芯管を搭載できる。そして、回転手段により、その２本の回転ローラのそれぞれを、その２本の回転ローラの内側周囲面に亙って搭載された芯管周囲に巻き取り中のメディアが接する２本の回転ローラの内側周囲面がメディアの巻き取り方向に同一速度で回転するように回転させることができる。そして、その２本の回転ローラの内側周囲面に亙って搭載されたメディアを巻き取り中の芯管を、２本の回転ローラの内側周囲面から芯管に巻き取り中のメディアに加わる回転力により、メディアの巻き取り方向に回転させることができる。そして、その芯管周囲に布等のメディアをロール状に巻き取ることができる。
【００１１】
その際には、その２本の回転ローラの周囲面の中央からその両端に向けて、その芯管周囲に巻き取り中のメディアが接する回転ローラの内側周囲面に位置する紐状部材部分を芯管周囲に巻き取り中のメディアの巻き取り方向に対して外側に傾斜させて、互いに逆方向に向けてそれぞれ螺旋状に巻き付けられた紐状部材から、芯管周囲に巻き取り中のメディアに、該メディアを芯管の中央からその両端に向けて広げる摩擦力と、該メディアを芯管周囲に巻き取る巻き取り力とを同時に付与できる。そして、そのメディアを芯管周囲に巻き取ると同時に、その芯管周囲に巻き取り中のメディアに皺が寄らないように、そのメディアを芯管の中央からその両端に向けて広げる力を、上記の紐状部材からメディアに付与できる。そして、その芯管周囲に巻き取り中のメディアに皺が発生するのを、防ぐことができる。
【００１２】
本発明の巻き取り装置においては、２本の回転ローラのそれぞれが、その２本の回転ローラの両端を回転自在に支持する支持機構に着脱可能に支持されて、その２本の回転ローラのそれぞれの支持機構に対しての取り付け方向を正逆に変更できるように構成されると共に、回転手段が、該回転手段により２本の回転ローラのそれぞれを正逆に回転させることができるように構成された構造とすることを好適としている。
【００１３】
この巻き取り装置にあっては、プロッタにより捺染が施されたメディア表面を外側に向けてメディアを芯管周囲に巻き取る際に、その芯管周囲に巻き取り中のメディアに回転ローラの周囲面に螺旋状に巻き付けられた紐状部材からメディアをその中央からその両端に向けて広げる摩擦力を付与可能なように、回転ローラの内側周囲面に螺旋状に巻き付けられた紐状部材部分であって、芯管周囲に巻き取り中のメディアが接する紐状部材部分の傾斜方向が、芯管周囲に巻き取り中のメディアの巻き取り方向に対して外側を向くように、２本の回転ローラをその取り付け方向を正方向又は逆方向に向けて支持機構に支持できる。それと共に、それに合わせて、回転手段により２本の回転ローラのそれぞれを正方向又は逆方向に回転させることができる。そして、捺染が施されたメディア表面を外側に向けて、そのメディアを芯管周囲に皺を発生させずに巻き取ることができる。
逆に、プロッタにより捺染が施されたメディア表面を内側に向けてメディアを芯管周囲に巻き取る際には、その芯管周囲に巻き取り中のメディアに回転ローラの周囲面に螺旋状に巻き付けられた紐状部材からメディアをその中央からその両端に向けて広げる摩擦力を付与可能なように、回転ローラの内側周囲面に螺旋状に巻き付けられた紐状部材部分であって、芯管周囲に巻き取り中のメディアが接する紐状部材部分の傾斜方向が、芯管周囲に巻き取り中のメディアの巻き取り方向に対して外側を向くように、２本の回転ローラをその取り付け方向を逆方向又は正方向に向けて支持機構に支持し直すことができる。それと共に、それに合わせて、回転手段により２本の回転ローラのそれぞれを逆方向又は正方向に回転させることができる。そして、捺染が施されたメディア表面を内側に向けて、そのメディアを芯管周囲に皺を発生させずに巻き取ることができる。
【００１４】
また、本発明の巻き取り装置においては、紐状部材がゴム紐からなり、前記芯管が紙管からなることを好適としている。
【００１５】
この巻き取り装置にあっては、その摩擦抵抗の大きいゴム紐からなる紐状部材により、該紐状部材に接するメディアに前記の摩擦力と巻き取り力とを確実に付与できる。
また、芯管に軽量で製造の容易な紙管を用いて、その芯管の軽量化とコストの低減化とを図れる。
【００１６】
【発明の実施の形態】
図１ないし図３は本発明の巻き取り装置の好適な実施の形態を示し、図１はその拡大構造説明図、図２はその一部平面図、図３はその一部側面図である。以下に、この巻き取り装置を説明する。
【００１７】
図の巻き取り装置では、メディア６０を巻き取り中の芯管１００を、その内側周囲面に亙って搭載する２本の回転ローラ１１０が、メディア６０が送り出されるプラテン５０の後方に、支持機構１１２を介して、メディア６０が送り出される方向と直角なＹ方向に並べて回転自在に支持されている。２本の回転ローラ１１０は、その内側周囲面に亙ってメディア６０を巻き取り中の芯管１００を搭載した状態において、その芯管１００が２本の回転ローラ１１０の内側の間の隙間を通して、その下方に落下しないように、所定間隔あけて支持機構１１２に並べて支持されている。
２本の回転ローラ１１０には、その２本の回転ローラ１１０の内側周囲面に亙って搭載された芯管１００周囲に巻き取り中のメディア６０が接する２本の回転ローラ１１０の内側周囲面がメディア６０の巻き取り方向に同一速度で回転するように、その２本の回転ローラ１１０のそれぞれを回転させる回転手段１２０が連結されている。回転手段１２０は、例えば図１に示したように、電動モータ１２１と、該モータの回転力を２本の回転ローラ１１０のそれぞれに伝えるプーリ１２２、１２３と無端ベルト１２４、１２５とから構成されている。
【００１８】
以上の構成は、図６又は図８に示した前述の巻き取り装置と同様であるが、図の巻き取り装置では、プラテン５０後方のＹ方向に並べて支持された２本の回転ローラ１１０の周囲面の中央からその両端に向けて、図２に示したように、紐状部材１３０が、その芯管１００に巻き取り中のメディア６０が接する回転ローラ１１０の内側周囲面に位置する紐状部材部分１３２を芯管１００周囲に巻き取り中のメディア６０の巻き取り方向に対して外側に傾斜させて、互いに逆方向に向けてそれぞれ螺旋状に巻き付けられている。そして、その紐状部材１３０から芯管１００周囲に巻き取り中のメディア６０に、該メディアをその中央からその両端に向けて広げる摩擦力と、該メディアを芯管１００周囲に巻き取る巻き取り力とを、同時に付与できるように構成されている。
紐状部材１３０には、該紐状部材に接するメディア６０に上記の摩擦力と巻き取り力とを確実に付与できる摩擦抵抗の大きいゴム紐が用いられている。
芯管１００には、軽量で取り扱い易くかつコストの安い紙管が用いられている。
【００１９】
図１ないし図３に示した巻き取り装置は、以上のように構成されている。
この巻き取り装置においては、２本の回転ローラ１１０の内側周囲面に亙って、メディア６０を巻き取り中の芯管１００を搭載できる。そして、回転手段１２０により、その２本の回転ローラ１１０のそれぞれを、その２本の回転ローラ１１０の内側周囲面に亙って搭載された芯管１００周囲に巻き取り中のメディア６０が接する２本の回転ローラ１１０の内側周囲面がメディア６０の巻き取り方向に同一速度で回転するように回転させることができる。そして、その２本の回転ローラ１１０の内側周囲面に亙って搭載されたメディア６０を巻き取り中の芯管１００を、２本の回転ローラ１１０の内側周囲面から芯管１００に巻き取り中のメディア６０に加わる回転力により、メディア６０の巻き取り方向に回転させることができる。そして、その芯管１００周囲に布等のメディア６０をロール状に巻き取ることができる。
【００２０】
その際には、その２本の回転ローラ１１０の周囲面の中央からその両端に向けて、芯管１００周囲に巻き取り中のメディア６０が接する回転ローラ１１０の内側周囲面に位置する紐状部材部分１３２を芯管１００周囲に巻き取り中のメディア６０の巻き取り方向に対して外側に傾斜させて、互いに逆方向に向けてそれぞれ螺旋状に巻き付けられた紐状部材１３０から、芯管１００周囲に巻き取り中のメディア６０に、該メディアを芯管１００の中央からその両端に向けて広げる摩擦力と、該メディアを芯管１００周囲に巻き取る巻き取り力とを同時に付与できる。そして、そのメディア６０を芯管１００周囲に巻き取ると同時に、その芯管１００周囲に巻き取り中のメディア６０に皺が寄らないように、そのメディア６０を芯管１００の中央からその両端に向けて広げる力を、紐状部材１３０からメディア６０に付与できる。そして、その芯管１００周囲に巻き取り中のメディア６０に皺が発生するのを、防ぐことができる。
【００２１】
図１ないし図３に示した巻き取り装置においては、図２、図３、図４及び図５に示したように、２本の回転ローラ１１０のそれぞれを、その２本の回転ローラ１１０の両端を回転自在に支持する支持機構１１２に着脱可能に支持して、その２本の回転ローラ１１０のそれぞれの支持機構１１２に対しての取り付け方向を正逆に変更できるようにすると良い。
この支持機構１１２においては、例えば図２、図３、図４及び図５に示したように、２本の回転ローラ１１０のそれぞれを、該回転ローラの左右に並べて回転自在に支持された複数個の小型ローラ１１４に亙って、取り外し可能に回転自在に支持すると良い。２本の回転ローラ両端の回転軸１１１のそれぞれは、回転ローラ１１０を回転させるプーリ１２３の軸１１７と、回転ローラ１１０の軸受け部１１９とのそれぞれに設けられたスリット１１８に抜き取り可能に嵌挿すると良い。
それと共に、回転手段１２０を、該回転手段により２本の回転ローラ１１０のそれぞれを正逆に回転させることができるように構成すると良い。
【００２２】
この場合には、図３に示したように、プロッタにより捺染が施されたメディア６０表面を外側に向けてメディア６０を芯管１００周囲に巻き取る際に、図２に示したように、その芯管１００周囲に巻き取り中のメディア６０に回転ローラ１１０の周囲面に螺旋状に巻き付けられた紐状部材１３０からメディア６０をその中央からその両端に向けて広げる摩擦力を付与可能なように、回転ローラ１１０の内側周囲面に螺旋状に巻き付けられた紐状部材部分１３２であって、芯管１００周囲に巻き取り中のメディア６０が接する紐状部材部分１３２の傾斜方向が、芯管１００周囲に巻き取り中のメディア６０の巻き取り方向に対して外側を向くように、２本の回転ローラ１１０をその取り付け方向を正方向又は逆方向に向けて支持機構１１２に支持できる。それと共に、それに合わせて、回転手段１２０により２本の回転ローラ１１０のそれぞれを正方向又は逆方向に回転させることができる。そして、捺染が施されたメディア６０表面を外側に向けて、そのメディア６０を芯管１００周囲に皺を発生させずに巻き取ることができる。
逆に、図５に示したように、プロッタにより捺染が施されたメディア６０表面を内側に向けてメディア６０を芯管１００周囲に巻き取る際には、図４に示したように、その芯管１００周囲に巻き取り中のメディア６０に回転ローラ１１０の周囲面に螺旋状に巻き付けられた紐状部材１３０からメディア６０をその中央からその両端に向けて広げる摩擦力を付与可能なように、回転ローラ１１０の内側周囲面に螺旋状に巻き付けられた紐状部材部分１３２であって、芯管１００周囲に巻き取り中のメディア６０が接する紐状部材部分１３２の傾斜方向が、芯管１００周囲に巻き取り中のメディア６０の巻き取り方向に対して外側を向くように、２本の回転ローラ１１０をその取り付け方向を逆方向又は正方向に向けて支持機構１１２に支持し直すことができる。それと共に、それに合わせて、回転手段１２０により２本の回転ローラ１１０のそれぞれを逆方向又は正方向に回転させることができる。そして、捺染が施されたメディア６０表面を内側に向けて、そのメディア６０を芯管１００周囲に皺を発生させずに巻き取ることができる。
【００２３】
【発明の効果】
以上説明したように、本発明の巻き取り装置によれば、紙管等の芯管周囲に捺染が施された布等のメディアを皺を発生させずにロール状に巻き取ることが可能となる。そして、芯管周囲に巻き取り中のメディアに発生する皺を、プロッタによる捺染作業を一時中止して、手により引き伸ばす、面倒で手数の掛かる作業を不要とすることができる。
【図面の簡単な説明】
【図１】本発明の巻き取り装置の拡大構造説明図である。
【図２】本発明の巻き取り装置の一部平面図である。
【図３】本発明の巻き取り装置の一部側面図である。
【図４】本発明の巻き取り装置の一部平面図である。
【図５】本発明の巻き取り装置の一部側面図である。
【図６】プロッタの側面図である。
【図７】プロッタの一部正面図である。
【図８】従来の巻き取り装置の拡大構造説明図である。
【符号の説明】
１０  スライダー
２０  インクジェットヘッド
５０  プラテン
６０  メディア
１００  芯管
１１２  支持機構
１１０  回転ローラ
１２０  回転手段
１３０  紐状部材
【図１】
0004299442.tif 000002
【図２】
0004299442.tif 000003
【図３】
0004299442.tif 000004
【図４】
0004299442.tif 000005
【図５】
0004299442.tif 000006
【図６】
0004299442.tif 000007
【図７】
0004299442.tif 000008
【図８】
0004299442.tif 000009